(57)【要約】【課題】生体情報装置の機能低下を防止する。【解決手段】生体情報装置３４は、筐体２８と、筐体２８に設けられ、指先に検知光を反射させることで生体情報を検出する発光素子４５及び受光素子４６と、透光性を有し、筐体２８に対し発光素子４５と受光素子４６を覆う保護位置に取付け可能なカバー４７と、筐体２８に形成され、カバー４７を保護位置に保持可能であり、且つカバー４７に外力が付与されたときに保持を解除してカバー４７が筐体２８から離脱することを許容する第１保持突起３７及び第２保持突起３８とを備えている。【選択図】図６
2019080642.tif 000002
【特許請求の範囲】
【請求項１】
ベース部材と、
前記ベース部材に設けられ、指先に検知光を反射させることで生体情報を検出する光電素子と、
透光性を有し、前記ベース部材に対し前記光電素子を覆う保護位置に取付け可能なカバーと、
前記ベース部材に形成され、前記カバーを前記保護位置に保持可能であり、且つ前記カバーに外力が付与されたときに保持を解除して前記カバーが前記ベース部材から離脱することを許容する保持部とを備えていることを特徴とする生体情報装置。
【請求項２】
前記カバーは、前記保持部による保持が解除されたときに、前記保護位置から、前記ベース部材に対する着脱が可能な着脱許容位置へ変位可能であることを特徴とする請求項１記載の生体情報装置。
【請求項３】
前記ベース部材には、前記カバーが前記着脱許容位置にあるときに前記カバーの一部を前記ベース部材の外面側へ突出させる姿勢誘導部が形成されていることを特徴とする請求項２記載の生体情報装置。
【請求項４】
前記ベース部材に形成され、前記カバーの一部を載置させることで前記カバーを前記保護位置に支持する支持部と、
前記ベース部材に形成され、前記カバーのうち前記支持部と非対応の領域と間隔を空けて対向する逃がし凹部と、
前記ベース部材に形成され、前記支持部と前記逃がし凹部とを段差状に隣接させる支点部とを備え、
前記姿勢誘導部が、前記逃がし凹部と前記支点部とを備えて構成されていることを特徴とする請求項３記載の生体情報装置。
【請求項５】
前記ベース部材には、前記保護位置の前記カバーを、前記ベース部材の外面と平行に前記着脱許容位置側へスライドするようにガイドするガイド部が形成され、
前記姿勢誘導部が、前記カバーのスライド方向に対して傾斜し、且つ前記ベース部材の外面に連なる傾斜面を備えていることを特徴とする請求項３記載の生体情報装置。
【請求項６】
便器装置に付帯して機能を発揮する装置本体と、
前記装置本体に設けられたベース部材と、
前記ベース部材に設けられ、指先に検知光を反射させることで生体情報を検出する光電素子と、
透光性を有し、前記ベース部材に対し前記光電素子を覆う保護位置に取付け可能なカバーと、
前記ベース部材に形成され、前記カバーを前記保護位置に保持可能であり、且つ前記カバーに外力が付与されたときに保持を解除して前記カバーが前記ベース部材から離脱することを許容する保持部とを備えていることを特徴とするトイレ用付帯装置。
【請求項７】
便器本体と便座を有する便器装置と、
請求項１ないし請求項５のいずれか１項に記載の生体情報装置とを備えていることを特徴とするトイレ装置。
【発明の詳細な説明】
【技術分野】
【０００１】
本発明は、生体情報装置、トイレ用付帯装置及びトイレ装置に関する。
【背景技術】
【０００２】
特許文献１には、指先から検出した生体情報に基づいて健康状態を簡易的に測定することが可能な手段として、血流の脈波を検出する脈波センサを設けたトイレ装置が開示されている。家庭のトイレ内はプライバシーが保たれて気持ちが落ち着き易く、また、排便後は副交感神経が優位になるため血流が安定し易い。したがって、脈波センサによる血流の検出をトイレで行うことは、検出精度を高めるという点で好ましい。特許文献１のトイレ装置では、脈波センサが便座の上面に設けられており、血流を検出する際には、便座に着座するだけで脈波の検出が行われるようになっている。
【先行技術文献】
【特許文献】
【０００３】
【特許文献１】特開２０１７−００６１８３号公報
【発明の概要】
【発明が解決しようとする課題】
【０００４】
上記の脈波センサは、上面が開口された筐体を便座内に埋め込み、その筐体内に発光部と受光部を収容し、筐体の上面の開口をカバー部で覆った形態である。カバー部は、発光部から発せられる検知光を透過させる必要があるため、カバー部の表面に汚れが付着すると、脈波の検出が正常に行われなくなる。
【０００５】
本発明は、上記従来の実情に鑑みてなされたものであって、生体情報装置の機能低下を防止することを解決すべき課題としている。
【課題を解決するための手段】
【０００６】
第１の発明の生体情報装置は、
ベース部材と、
前記ベース部材に設けられ、指先に検知光を反射させることで生体情報を検出する光電素子と、
透光性を有し、前記ベース部材に対し前記光電素子を覆う保護位置に取付け可能なカバーと、
前記ベース部材に形成され、前記カバーを前記保護位置に保持可能であり、且つ前記カバーに外力が付与されたときに保持を解除して前記カバーが前記ベース部材から離脱することを許容する保持部とを備えていることを特徴とする。
【０００７】
第２の発明のトイレ用付帯装置は、
便器装置に付帯して機能を発揮する装置本体と、
前記装置本体に設けられたベース部材と、
前記ベース部材に設けられ、指先に検知光を反射させることで生体情報を検出する光電素子と、
透光性を有し、前記ベース部材に対し前記光電素子を覆う保護位置に取付け可能なカバーと、
前記ベース部材に形成され、前記カバーを前記保護位置に保持可能であり、且つ前記カバーに外力が付与されたときに保持を解除して前記カバーが前記ベース部材から離脱することを許容する保持部とを備えていることを特徴とする。
【０００８】
第３の発明のトイレ装置は、
便器本体と便座を有する便器装置と、
ベース部材と、
前記ベース部材に設けられ、指先に検知光を反射させることで生体情報を検出する光電素子と、
透光性を有し、前記ベース部材に対し前記光電素子を覆う保護位置に取付け可能なカバーと、
前記ベース部材に形成され、前記カバーを前記保護位置に保持可能であり、且つ前記カバーに外力が付与されたときに保持を解除して前記カバーが前記ベース部材から離脱することを許容する保持部とを備えていることを特徴とする。
【発明の効果】
【０００９】
保持部によってカバーを保護位置に取り付けておくと、光電素子への異物の付着が防止されるので、光電素子による検知機能が維持される。カバーの表面が汚れた場合は、カバーに外力を付与すれば、カバーは、保持部による保持から解放されてベース部材から離脱することができる。カバーを取り外した後は、新規のカバー又は洗浄したカバーをベース部材に取り付けて保護位置に保持する。これにより、生体情報装置の機能を長期間に亘って維持することができる。
【図面の簡単な説明】
【００１０】
【図１】実施例１のトイレ装置の斜視図
【図２】多機能リモコンユニットの斜視図
【図３】筐体からカバーを外した状態をあらわす斜視図
【図４】カバーが保護位置に保持されている状態をあらわす斜視図
【図５】カバーが保護位置に保持されている状態をあらわす断面図
【図６】カバーが着脱許容位置へ変位した状態をあらわす斜視図
【図７】カバーが着脱許容位置へ変位した状態をあらわす断面図
【図８】実施例２において筐体からカバーを外した状態をあらわす斜視図
【図９】カバーが保護位置に保持されている状態をあらわす斜視図
【図１０】カバーが保護位置に保持されている状態をあらわす断面図
【図１１】カバーが着脱許容位置へ変位した状態をあらわす斜視図
【図１２】カバーが着脱許容位置へ変位した状態をあらわす断面図
【発明を実施するための形態】
【００１１】
第１〜第３の発明は、前記カバーは、前記保持部による保持が解除されたときに、前記保護位置から、前記ベース部材に対する着脱が可能な着脱許容位置へ変位可能であってもよい。この構成によれば、カバーの表面が汚れた場合は、カバーを、外力の付与により保護位置から着脱許容位置へ変位させて、ベース部材から取り外す。カバーを外す際には、カバーを、一旦、着脱許容位置へ変位させるので、カバーが弾き飛んでしまう虞がない。
【００１２】
第１〜第３の発明は、前記ベース部材には、前記カバーが前記着脱許容位置にあるときに前記カバーの一部を前記ベース部材の外面側へ突出させる姿勢誘導部が形成されていてもよい。この構成によれば、カバーをベース部材に対して着脱する際の作業性が向上する。
【００１３】
第１〜第３の発明は、前記ベース部材に形成され、前記カバーの一部を載置させることで前記カバーを前記保護位置に支持する支持部と、前記ベース部材に形成され、前記カバーのうち前記支持部と非対応の領域と間隔を空けて対向する逃がし凹部と、前記ベース部材に形成され、前記支持部と前記逃がし凹部とを段差状に隣接させる支点部とを備え、前記姿勢誘導部が、前記逃がし凹部と前記支点部とを備えて構成されていてもよい。この構成によれば、保護位置のカバーのうち支持部と非対応の部位を、逃がし凹部側へ押圧すると、カバーは支点部を支点として着脱許容位置へシーソー状に変位する。これにより、カバーのうち支持部と対応する領域がベース部材の外面側へ突出する。
【００１４】
第１〜第３の発明は、前記ベース部材には、前記保護位置の前記カバーを、前記ベース部材の外面と平行に前記着脱許容位置側へスライドするようにガイドするガイド部が形成され、前記姿勢誘導部が、前記カバーのスライド方向に対して傾斜し、且つ前記ベース部材の外面に連なる傾斜面を備えていてもよい。この構成によれば、カバーが保護位置から着脱許容位置へスライドする過程で、カバーのスライド方向前端部が、傾斜面に摺接することによってベース部材の外面側へ誘導される。
【００１５】
＜実施例１＞
以下、本発明を具体化した実施例１を図１〜図７を参照して説明する。尚、以下の説明において、前後の方向については、図１〜３における斜め右下方、図４，６における斜め右上方、及び図５，７における右方を、前方と定義する。上下の方向については、図１〜７にあらわれる向きを、そのまま上方、下方と定義する。
【００１６】
本実施例１のトイレ装置１０は、便器装置１１と、多機能リモコンユニット２０（請求項に記載のトイレ用付帯装置）とを備えて構成されている。便器装置１１は、便鉢部１３や排水路等が形成された便器本体１２と、便器本体１２の上面に取り付けられた便座１４と、便器本体１２の上面の開口部を開閉する便蓋１５と、便器本体１２に供給するための洗浄水を貯留する給水用タンク１６を備えている。
【００１７】
トイレ装置１０は、便器装置１１に付帯して設けた電動装置１７を備えている。図１には、電動装置１７の一例として局部洗浄装置１８が示されている。電動装置１７は、多機能リモコンユニット２０の可動リモコン２７（リモコン機能部２９）によって遠隔操作されるものである。局部洗浄装置１８以外の電動装置１７としては、便器洗浄装置（図示省略）、擬音装置（図示省略）、便蓋開閉装置（図示省略）、便座開閉装置（図示省略）、便座１４暖房装置（図示省略）、温風装置（図示省略）、消臭装置（図示省略）等がある。
【００１８】
多機能リモコンユニット２０は、トイレ室Ｒの左側の壁面Ｗに取り付けられている。多機能リモコンユニット２０の取付け位置は、トイレの使用者（図示省略）が便座１４に着座したままで多機能リモコンユニット２０の可動リモコン２７を操作することを考慮し、操作のし易さを優先して設定されている。即ち、多機能リモコンユニット２０は、上下方向に関しては、便座１４よりも上方の位置、即ち便座１４への着座者の心臓に比較的近い高さに配置される。また、トイレ室Ｒの前後方向に関しては、便座１４への着座者が、指先で操作部を操作しようとするときに、上半身を捻るなどの無理な体勢を強いられる虞のない位置に配置される。
【００１９】
多機能リモコンユニット２０は、トイレットペーパーホルダ２１と、トイレ用リモコン２４（請求項に記載の装置本体）と、生体情報装置３４とを一体化したものである。トイレットペーパーホルダ２１は、壁面Ｗに固定されるホルダ本体部２２と、２つのトイレットペーパーＰを同軸状に並べて保持するアーム部２３とを有している。
【００２０】
トイレ用リモコン２４は、ホルダ本体部２２の上面に重ねるように設けられている。トイレ用リモコン２４は、ホルダ本体部２２の上面に固定された格納部２５と、格納部２５に設けた可動リモコン２７と、バッテリー（図示省略）とを備えている。格納部２５は、全体として幅寸法（前後方向の寸法）が奥行寸法（壁面Ｗと直交する方向の寸法）より大きく、奥行寸法より高さ寸法の小さい偏平な直方形をなしている。格納部２５の内部は、格納部２５の正面に開口した格納空間２６となっている。
【００２１】
可動リモコン２７は、筐体２８（請求項に記載のベース部材）と、リモコン機能部２９と、生体情報装置３４とを備えている。リモコン機能部２９と生体情報装置３４は筐体２８によって一体化されている。筐体２８の正面は、主操作面３０となっており、筐体２８の上面は副操作面３２となっている。主操作面３０には、電動装置１７を遠隔操作するための複数の主操作部３１が設けられている。副操作面３２には、電動装置１７を遠隔操作するための複数の副操作部３３が設けられている。主操作面３０、主操作部３１、副操作面３２及び副操作部３３は、リモコン機能部２９を構成する。筐体２８は生体情報装置３４を構成する。
【００２２】
可動リモコン２７（生体情報装置３４）は、格納空間２６内に格納された格納位置（格納形態）と、格納部２５の正面側に突出した露出位置（使用形態）との間で奥行き方向に水平にスライドし得るようになっている。可動リモコン２７を格納位置と露出位置との間で移動させる手段としては、いずれかの主操作部３１を押し操作することにより電動で行ってもよく、手動で押し引き操作してもよい。
【００２３】
可動リモコン２７が格納位置にある状態では、主操作面３０は格納部２５の外部に露出するが、副操作面３２の全領域が格納空間２６内に収容される。可動リモコン２７が露出位置にある状態では、図２に示すように、主操作面３０と副操作面３２の両方が格納空間２６外に露出する。
【００２４】
生体情報装置３４は、筐体２８とセンサ３５とモニター５０と情報処理部５１を備えて構成されており、センサ３５の上面に指先を当てて指先の脈波を検出することで血管年齢を測定する血管年齢測定器である。センサ３５とモニター５０は筐体２８の上面に設けられ、情報処理部５１は筐体２８の内部に収容されている。筐体２８には、その副操作面３２（上面）を浅く凹ませた形態の収容凹部３６が形成されている。収容凹部３６の平面視形状は概ね方形である。収容凹部３６には、カバー４７を筐体２８に対し保護位置に保持するための手段として、１つの第１保持突起３７（請求項に記載の保持部）と２つの第２保持突起３８（請求項に記載の保持部）が形成されている。
【００２５】
第１保持突起３７は、収容凹部３６の内周面における後面部の幅方向中央部に位置している。２つの第２保持突起３８は、収容凹部３６の内周面における左右両側面部に位置している。前後方向における第２保持突起３８の形成位置は、第１保持突起３７よりも前方であり、且つ収容凹部３６の前後方向中央よりも後方の位置である。
【００２６】
収容凹部３６内には、カバー４７を筐体２８の上面と平行に載置した状態で支持するための手段として、収容凹部３６の底面（平面視で目視可能であり、筐体２８の上面と平行な面）の一部を高くした形態の支持部３９が形成されている。支持部３９の上面（カバー４７を載置する面）は、第１保持突起３７及び第２保持突起３８より低い高さに設定されている。支持部３９は、収容凹部３６の内側面のうち後面部の全幅領域と、収容凹部３６の内周面の左右両側面部における後端側領域とに沿うように形成され、支持部３９の平面視形状は略Ｕ字形をなしている。
【００２７】
収容凹部３６の前端部（支持部３９より前方の領域）は、支持部３９よりも低くなった逃がし凹部４０となっている。支持部３９の前端部上面と逃がし凹部４０の底面とは、側面視において高低差があり、支持部３９の上面の前端縁は、支持部３９と逃がし凹部４０を段差状に隣接させる支点部４１となっている。支点部４１は、カバー４７をシーソー状に傾動させるときの支点となる。逃がし凹部４０と支点部４１は、後述するようにカバー４７を保護位置から着脱許容位置へ変位させた際に、カバー４７の一部を筐体２８の上方へ持ち上げるための姿勢誘導部４２を構成する。
【００２８】
センサ３５は、筐体２８のうち収容凹部３６が形成されている部位と、フォトセンサ４３と、フォトセンサ４３の上面を覆って保護するカバー４７とを備えて構成されている。上記した第１保持突起３７と第２保持突起３８と逃がし凹部４０と支点部４１は、収容凹部３６に形成されているので、センサ３５を構成している。
【００２９】
フォトセンサ４３は、波長の異なる検知光を発する一対の発光素子４５（請求項に記載の光電素子）と１つの受光素子４６（請求項に記載の光電素子）を、透光性を有するモールド体４４に内蔵した単一部材である。フォトセンサ４３は、収容凹部３６の底面のうち支持部３９で囲まれた領域に埋設された状態で取り付けられている。フォトセンサ４３の上面は、筐体２８の上面（副操作面３２）と平行な平面からなり、支持部３９の上面と同じ高さか、それよりも僅かに低い高さに設定されている。
【００３０】
カバー４７は、平板状をなし、透光性を有する合成樹脂材料からなる。カバー４７の平面視形状は、収容凹部３６の上面の開口領域の概ね全体を覆う形状である。カバー４７は、常には、収容凹部３６内に嵌合されている。収容凹部３６に嵌合されたカバー４７は、支持部３９に載置された状態で支持される。カバー４７を収容凹部３６に適正に嵌合して筐体２８に取り付けた状態では、フォトセンサ４３の全領域がカバー４７で覆われ、このときの筐体２８に対するカバー４７の取付け位置を保護位置と定義する。
【００３１】
カバー４７の厚さ寸法は、筐体２８の上面と支持部３９の上面との高低差と同じ寸法である。したがって、カバー４７が保護位置に取り付けられている状態では、カバー４７の全体が収容凹部３６内に収容され、カバー４７の上面が筐体２８の上面と同じ高さで隣接するように位置する。また、カバー４７の前端部は、支持部３９の前端より逃がし凹部４０内に突出して浮いた状態となっている。つまり、カバー４７の前端部と逃がし凹部４０の底面との間には、支持部３９の高さに相当する間隙が空けられている。
【００３２】
カバー４７の外周面には、１つの第１保持凹部４８と、２つの第２保持凹部４９が形成されている。第１保持凹部４８は、カバー４７の外周面における後面部の幅方向中央部に位置している。２つの第２保持凹部４９は、カバー４７の外周面における左右両側面部に位置している。前後方向における第２保持凹部４９の形成位置は、第１保持凹部４８よりも前方であり、且つカバー４７の前後方向中央よりも後方の位置である。
【００３３】
カバー４７が保護位置に取り付けられている状態では、第１保持凹部４８と第２保持凹部４９が、夫々、対応する第１保持突起３７と第２保持突起３８に係止する。これら３箇所の係止によりカバー４７が、筐体２８に対し上方への相対変位を規制されるとともに、筐体２８に対し前後方向への相対変位を規制される。また、筐体２８とカバー４７は合成樹脂製であって僅かに弾性変形することが可能なので、第１保持突起３７と第１保持凹部４８の係止、及び第１保持突起３７と第１保持凹部４８の係止は、カバー４７に外力を付与することで解除され得るようになっている。
【００３４】
生体情報装置３４やトイレ用リモコン２４の副操作部３３を使用しない間、トイレ用リモコン２４と生体情報装置３４のセンサ３５は、格納部２５内に格納されている。したがって、センサ３５が格納部２５に格納されている状態では、センサ３５（カバー４７）の上面（表面）に異物が付着する虞がない。
【００３５】
脈波を検出して血管年齢を測定する際には、格納部２５に格納されているトイレ用リモコン２４とセンサ３５を検出可能な露出位置へ移動させ、カバー４７（センサ３５）の上面に指先を載せて当てる。すると、一方の発光素子４５から発せられた検知光が動脈で反射して受光素子４６で受光され、他方の発光素子４５から発せられた検知光が静脈で反射して受光素子４６で受光され、これらの検知光により動脈と静脈の脈波（生体情報）が検出される。情報処理部５１では、センサ３５で検出された脈波の情報に基づいて血管年齢が演算され、その演算結果が血管年齢の測定値としてモニター５０に出力される。
【００３６】
また、センサ３５は副操作面３２に配置されているので、センサ３５に指先を当てた状態のままで、副操作部３３を操作することが可能である。また、センサ３５が配置されている副操作面３２は、主操作面３０の近傍に位置しているので、センサ３５に指先を当てたままで主操作部３１を操作することも可能である。血管年齢の測定が終わったら、トイレ用リモコン２４とセンサ３５を格納部２５内に格納する。
【００３７】
また、カバー４７の上面には埃や皮脂等が付着することは避けられない。そのため、長期間に亘って生体情報装置３４を使用した場合、カバー４７の表面の汚れによって発光素子４５と受光素子４６との間における検知光の送受経路が遮られ、センサ３５による脈波（生体情報）の検出が適正に行われなくなることが懸念される。そこで、本実施例１では、生体情報装置３４の利用者がカバー４７のメンテナンスを行えるようになっている。メンテナンスにより、汚れたカバー４７を、筐体２８から外して洗浄し、再び筐体２８に取り付けることができるとともに、汚れたカバー４７を新規のカバー４７と交換することができる。
【００３８】
カバー４７を筐体２８から取り外す際には、指先でカバー４７の前端部の上面を押す。このとき、第１保持突起３７と第１保持凹部４８の係止力及び第２保持突起３８と第２保持凹部４９の係止力を上回る下向きの押圧力を加える。カバー４７の前端部は支持部３９で支持されずに逃がし凹部４０内で浮いた状態となっているので、前端部に下向きの外力を加えられたカバー４７は、支点部４１を支点として後端側が浮き上がるような形態でシーソー状に傾動し、着脱許容位置へ変位する。
【００３９】
カバー４７が着脱許容位置へ変位した状態では、第１保持突起３７と第１保持凹部４８の係止が解除されるとともに、第２保持突起３８と第２保持凹部４９の係止が解除されるので、カバー４７は筐体２８から取り外すことができる。このとき、カバー４７の後端部が筐体２８の上面よりも上方へ突き出しているので、この突き出した後端部を指で摘むようにすれば、カバー４７を簡単に筐体２８から取り上げることができる。この後、洗浄済みのカバー４７、又は新規のカバー４７を筐体２８（収容凹部３６）に取り付ける。
【００４０】
本実施例１のトイレ装置１０は、便器本体１２と便座１４を有する便器装置１１と、便器装置１１に付帯して設けた多機能リモコンユニット２０（トイレ用付帯装置）とを備えて構成されている。多機能リモコンユニット２０は、便器装置１１に付帯することで機能を発揮するトイレ用リモコン２４（装置本体）を備えている。トイレ用リモコン２４には、指先を当てることで脈波（生体情報）を検出するセンサ３５を備えた生体情報装置３４が内蔵されている。
【００４１】
生体情報装置３４は、トイレ用リモコン２４に設けられた筐体２８と、筐体２８に設けられ、指先に検知光を反射させることで生体情報を検出する光電素子（発光素子４５及び受光素子４６）と、カバー４７とを有する。カバー４７は、透光性を有し、筐体２８に取り付けられて光電素子（発光素子４５及び受光素子４６）を覆う保護位置と、筐体２８に対する着脱が許容された着脱許容位置との間で変位が可能となっている。さらに、筐体２８には、カバー４７を保護位置に保持可能であり、且つカバー４７に対して外力が付与されたときに保持を解除する保持部（第１保持突起３７及び第２保持突起３８）が形成されている。
【００４２】
カバー４７を保護位置に取り付けておくと、光電素子（フォトセンサ４３の表面）への異物の付着が防止されるので、光電素子（発光素子４５及び受光素子４６）による検知機能が適正に維持される。カバー４７の表面が汚れた場合は、カバー４７に外力を付与すれば、カバー４７は、保持部（第１保持突起３７及び第２保持突起３８）による保持から解放されるので、カバー４７を筐体２８から外すことが可能となる。
【００４３】
具体的には、保持部（第１保持突起３７及び第２保持突起３８）による保持から解放したカバー４７は、保護位置から、一旦、着脱許容位置へ変位させ、その後、筐体２８から取り外す。カバー４７を取り外した後は、新規のカバー４７又は洗浄したカバー４７を筐体２８に取り付けて保護位置に保持する。このようにすれば、生体情報装置３４の機能を長期間に亘って適正に保つことができる。カバー４７を外す際には、カバー４７を、保護位置から、一旦、着脱許容位置へ変位させるので、カバー４７が弾き飛んでしまう虞はない。
【００４４】
また、筐体２８には、支持部３９と姿勢誘導部４２が形成されている。支持部３９は、カバー４７の一部を載置させることでカバー４７を保護位置に支持するものである。姿勢誘導部４２は、カバー４７が着脱許容位置にあるときにカバー４７の一部（後端部）をベース部材の外面側へ突出させる手段であり、逃がし凹部４０と支点部４１とによって構成されている。逃がし凹部４０は、カバー４７のうち支持部３９と非対応の前端部領域と間隔を空けて対向する形態で筐体２８に形成されている。支点部４１は、支持部３９の前端と逃がし凹部４０とを段差状に隣接させる形態で筐体２８に形成されている。
【００４５】
この構成によれば、保護位置に保持されているカバー４７のうち支持部３９と非対応の前端部を、逃がし凹部４０側へ押圧すると、カバー４７は支点部４１を支点として着脱許容位置へシーソー状に変位する。このシーソー状に傾動に伴い、カバー４７のうち支持部３９と対応する後端側領域が筐体２８の外面側（上方）へ突出する。したがって、カバー４７を筐体２８から取り外す際の作業性が良好である。
【００４６】
＜実施例２＞
次に、本発明を具体化した実施例２を図８〜図１２を参照して説明する。本実施例２の生体情報装置６０は、センサ６９を上記実施例１とは異なる構成としたものである。その他の構成については上記実施例１と同じであるため、同じ構成については、同一符号を付し、構造、作用及び効果の説明は省略する。
【００４７】
生体情報装置６０は、実施例１と同様、トイレ用リモコン２５（請求項に記載の装置本体）と一体化された形態で多機能リモコンユニット２０に設けられたものである。生体情報装置６０は、筐体６１（請求項に記載のベース部材）とセンサ６９とモニター（図示省略）と情報処理部（図示省略）を備えて構成され、センサ６９で指先の脈波を検出することで血管年齢を測定する血管年齢測定器である。筐体６１は、トイレ用リモコン２５の可動リモコン２７を構成するものであり、筐体６１の上面は、実施例１と同じく、副操作面３２となっている。
【００４８】
センサ６９とモニターは副操作面３２に設けられ、情報処理部は筐体６１の内部に収容されている。筐体６１には、その副操作面３２（上面）を浅く凹ませた形態の収容凹部６２が形成されている。収容凹部６２の平面視形状は概ね方形である。収容凹部６２の底面のうち前端部を除いた領域には、平面視形状が概ね方形の枠形状であり、筐体６１の上面と平行をなす支持面６３となっている。
【００４９】
収容凹部６２の前端部には姿勢誘導部６４が形成されている。姿勢誘導部６４は、収容凹部６２の底面における前端部（支持面６３よりも前方の領域）を前方に向かって上る向きに傾けた形態の傾斜面６５を有している。傾斜面６５の前端縁（傾斜面６５において最も高い部位）は、筐体６１の上面（副操作面３２）に対し鈍角をなして連なっている。傾斜面６５の後端縁部は、収容凹部６２の全幅に亘り支持面６３の前端縁に対し鈍角をなして連なるストッパ６６（請求項に記載の保持部）となっている。また、収容凹部６２の内周面における後面部は、受け面６７（請求項に記載の保持部）として機能する。
【００５０】
収容凹部６２には、左右一対のガイド部６８（請求項に記載の保持部）が形成されている。ガイド部６８は、収容凹部６２の左右両内側面の上端部から水平方向内側（収容凹部６２の内側）へリブ状に突出し、且つ前後方向に直線状に延びた形態である。ガイド部６８の前後方向における形成領域は、ストッパ６６より後方の位置から、受け面６７より前方の位置に至る範囲である。ストッパ６６と受け面６７とガイド部６８は、カバー７４を筐体６１に対し保護位置に保持するための手段として機能する。
【００５１】
センサ６９は、筐体６１のうち収容凹部６２が形成されている部位と、フォトセンサ７０と、フォトセンサ７０の上面を覆って保護するカバー７４とを備えて構成されている。上記した傾斜面６５（姿勢誘導部６４）とストッパ６６と受け面６７とガイド部６８は、収容凹部６２に形成されているので、センサ６９を構成している。
【００５２】
フォトセンサ７０は、波長の異なる検知光を発する一対の発光素子７１（請求項に記載の光電素子）と１つの受光素子７２（請求項に記載の光電素子）を、透光性を有するモールド体７３に内蔵した単一部材である。フォトセンサ７０は、収容凹部６２の底面のうち平面視において支持面６３で囲まれた領域に埋設するように取り付けられている。フォトセンサ７０の上面は、筐体６１の上面（副操作面３２）と平行な平面からなり、支持面６３と同じ高さか、支持面６３より僅かに低い高さに設定されている。
【００５３】
カバー７４は、平面視形状が概ね方形の平板状をなし、透光性及び弾性を有する合成樹脂材料からなる。カバー７４の前後長は支持面６３の前後長と同じであり、カバー７４の幅寸法（左右寸法）は収容凹部６２の幅寸法と同じである。カバー７４の上面には、その左右両側縁部を凹ませた形態のガイド凹部７５が形成されている。ガイド凹部７５は、前後方向に直線状に延びた形態である。
【００５４】
カバー７４は、常には、収容凹部６２内に収容されて保護位置に保持された状態で筐体６１に取り付けられている。カバー７４が保護位置に取り付けられた状態では、フォトセンサ７０の上面の全領域がカバー７４で覆われるとともに、傾斜面６５の全領域がカバー７４で覆われずに上方へ露出した状態となる。
【００５５】
カバー７４の厚さ寸法は、筐体６１の上面と支持面６３との高低差と同じ寸法である。したがって、カバー７４が保護位置に取り付けられている状態では、カバー７４の全体が収容凹部６２内に収容され、カバー７４の上面が筐体６１の上面と同じ高さで隣接するように位置する。
【００５６】
保護位置に取り付けられたカバー７４は、支持面６３に載置されるとともに、ガイド凹部７５をガイド部６８に嵌合させることで、筐体６１に対し上下方向への相対変位を規制された状態に保持される。同時に、カバー７４の後端面が受け面６７に当接し、カバー７４の前端縁がストッパ６６に係止することで、カバー７４は筐体６１（収容凹部６２）に対し前後方向及び左右方向への相対変位を規制される。
【００５７】
カバー７４がストッパ６６との係止によって前方への相対変位を規制される作用は、カバー７４の剛性に起因している。したがって、保護位置に保持されているカバー７４の上面に対して、カバー７４の剛性を上回る前向きの外力を付与すると、カバー７４は、側面視において湾曲するように弾性変形しながら前方へスライドし、カバー７４がスライドするのに伴ってカバー７４の前端部が傾斜面６５に乗り上がっていく。
【００５８】
生体情報装置６０やトイレ用リモコン２５の副操作部を使用しない間、トイレ用リモコン２５と生体情報装置６０のセンサ６９は、トイレ用リモコン２５の格納部２５内に格納されている。センサ６９が格納部２５に格納されている状態では、センサ６９（カバー７４）の上面（表面）に異物が付着する虞がない。
【００５９】
脈波を検出して血管年齢を測定する際には、格納部２５に格納されているトイレ用リモコン２５とセンサ６９を検出可能な露出位置へ移動させ、カバー７４（センサ６９）の上面に指先を載せて当てる。すると、一方の発光素子７１から発せられた検知光が動脈で反射して受光素子７２で受光され、他方の発光素子７１から発せられた検知光が静脈で反射して受光素子７２で受光され、これらの検知光により動脈と静脈の脈波（生体情報）が検出される。情報処理部では、センサ６９で検出された脈波の情報に基づいて血管年齢が演算され、その演算結果が血管年齢の測定値としてモニターに出力される。
【００６０】
また、カバー７４の上面には埃や皮脂等が付着することは避けられない。そのため、長期間に亘って生体情報装置６０を使用した場合、カバー７４の表面の汚れによって発光素子７１と受光素子７２との間における検知光の送受経路が遮られ、センサ６９による脈波（生体情報）の検出が適正に行われなくなることが懸念される。そこで、本実施例２では、生体情報装置６０の利用者がカバー７４のメンテナンスを行えるようになっている。メンテナンスにより、汚れたカバー７４を、筐体６１から外して洗浄し、再び筐体６１に取り付けることができるとともに、汚れたカバー７４を新規のカバー７４と交換することができる。
【００６１】
カバー７４を筐体６１から取り外す際には、指先でカバー７４の上面に下向きの押圧力と前向きの押圧力とを付与する。すると、指先とカバー７４との間の摩擦力により、カバー７４は、ガイド部６８とガイド凹部７５とを摺接させながら、筐体６１に対して前方へ相対変位する。カバー７４は前方への相対変位に伴って弾性変形し、カバー７４の前端部は、傾斜面６５上を摺接することによって、次第に高い位置へと変位していく。
【００６２】
カバー７４の前方への相対変位が進むと、カバー７４の前端部が傾斜面６５の前端を通過し、カバー７４の下面が傾斜面６５の上端縁に摺接するようになる。カバー７４の下面が傾斜面６５の上端縁に摺接する間も、カバー７４の前端部の位置は次第に高くなり、筐体６１の上面（副操作面３２）との間の上下間隔が大きくなっていく。
【００６３】
そして、カバー７４の上面（ガイド凹部７５）の後端がガイド部６８の前端から外れると、カバー７４は、筐体６１に対して上方への相対変位、即ち、筐体６１（収容凹部６２）に対するカバー７４の着脱が許容された状態となる。このときのカバー７４の位置を着脱許容位置と定義する。カバー７４が着脱許容位置へ変位した状態では、カバー７４の前端部が筐体６１の上面から斜め上前方へ突き出している。したがって、この突き出した前端部を指で摘むようにすれば、カバー７４を簡単に筐体６１から取り外すことができる。
【００６４】
この後、洗浄済みのカバー７４、又は新規のカバー７４を筐体６１（収容凹部６２）に取り付ける。カバー７４を筐体６１に取り付けるときも、カバー７４の前端部を指で摘むようにすれば、カバー７４を収容凹部６２に対して位置合わせしながら取り付けることができるので、作業性が良好である。
【００６５】
本実施例２の生体情報装置６０は、トイレ用リモコン２５に設けられた筐体６１と、筐体６１に設けられ、指先に検知光を反射させることで生体情報を検出する光電素子（発光素子７１及び受光素子７２）と、カバー７４とを有する。カバー７４は、透光性を有し、筐体６１に取り付けられて光電素子（発光素子７１及び受光素子７２）を覆う保護位置と、筐体６１に対する着脱が許容された着脱許容位置との間で変位が可能となっている。さらに、筐体６１には、カバー７４を保護位置に保持可能であり、且つカバー７４に対して外力が付与されたときに保持を解除する保持部（ストッパ６６、受け面６７、ガイド部６８）が形成されている。
【００６６】
カバー７４を保護位置に取り付けておくと、光電素子（フォトセンサ７０の表面）への異物の付着が防止されるので、光電素子（発光素子７１及び受光素子７２）による検知機能が適正に維持される。カバー７４の表面が汚れた場合は、カバー７４に外力を付与することによって、カバー７４を、保護位置から着脱許容位置へ変位させて筐体６１から取り外す。カバー７４を取り外した後は、新規のカバー７４又は洗浄したカバー７４を筐体６１に取り付けて保護位置に保持する。このようにすれば、生体情報装置６０の機能を長期間に亘って適正に保つことができる。
【００６７】
また、筐体６１には、ガイド部６８と姿勢誘導部６４とが形成されている。ガイド部６８は、保護位置のカバー７４を、筐体６１の外面（上面）と平行に着脱許容位置側へスライドするようにガイドするものである。姿勢誘導部６４は、カバー７４が着脱許容位置にあるときにカバー７４の前端部（一部）を筐体６１の外面（上面）側へ突出させるものである。姿勢誘導部６４は、カバー７４のスライド方向に対して傾斜し、且つ筐体６１の外面に連なる傾斜面６５を備えている。
【００６８】
この構成によれば、カバー７４が保護位置から着脱許容位置へスライドする過程で、カバー７４のスライド方向前端部が、傾斜面６５に摺接することによって筐体６１の外面側へ誘導される。カバー７４を筐体６１に対して着脱する際には、カバー７４のスライド方向前端部を指で摘むことができるので、カバー７４を筐体６１に対して着脱する際の作業性が向上する。
【００６９】
＜他の実施例＞
本発明は上記記述及び図面によって説明した実施例に限定されるものではなく、例えば次のような実施例も本発明の技術的範囲に含まれる。
（１）上記実施例１，２では、トイレ用付帯装置が、多機能リモコンユニットであるが、トイレ用付帯装置は、便器本体に付帯する電動装置（便器洗浄装置、局部洗浄装置、擬音装置、便蓋開閉装置、便座開閉装置、便座暖房装置、温風装置、消臭装置等）を遠隔操作可能であってトイレ室の壁面に取り付けられる専用のトイレ用リモコン、リモコンを具備しないペーパーホルダ、便器本体の側方に設けられて上記電動装置を操作するための袖形アーム部、トイレ用リモコンを有する多機能キャビネット、トイレ用リモコンを有しないキャビネット、カウンター、タオル掛け、手洗い等であってもよい。
（２）上記実施例１，２では、センサ（生体情報装置）がトイレ用付帯装置に設けられているが、センサ（生体情報装置）はトイレ用付帯装置から独立した単独形態でトイレ室に設けられていてもよく、便器装置の便座に設けられていてもよい。
（３）上記実施例１，２では、生体情報機能部を構成するセンサと情報処理部とモニターが一体となって格納位置と露出位置との間で移動するようになっているが、センサのみが移動するようにしてもよく、センサとモニターのみが移動するようにしてもよい。
（４）上記実施例１，２では、生体情報装置が指先からの脈波（生体情報）に基づいて血管年齢を測定するものであるが、生体情報装置は、センサによって脈波以外の生体情報（心拍数、血圧、体温、静脈パターン、指紋等）を検出し、この検出結果に基づいて（ストレス度等の測定値や、個人を特定するための生体認証情報）を演算処理し、この演算結果を画像表示したり、演算結果に基づいてトイレ機器を作動させる制御信号を出力したりするものであってもよい。
（５）上記実施例１，２では、着脱許容位置ではカバーの一部がベース部材の外面側へ突出するようにしたが、着脱許容位置にあるときにカバーの全体がベース部材の外面側へ突出しない形態としてもよい。
【符号の説明】
【００７０】
１０…トイレ装置
１２…便器本体
１４…便座
２０…多機能リモコンユニット（トイレ用付帯装置）
２４…トイレ用リモコン（装置本体）
２８…筐体（ベース部材）
３４…生体情報装置
３７…第１保持突起（保持部）
３８…第２保持突起（保持部）
３９…支持部
４０…逃がし凹部
４１…支点部
４２…姿勢誘導部
４５…発光素子（光電素子）
４６…受光素子（光電素子）
４７…カバー
６０…生体情報装置
６１…筐体（ベース部材）
６４…姿勢誘導部
６４…傾斜面
６６…ストッパ（保持部）
６７…受け面（保持部）
６８…ガイド部（保持部）
７１…発光素子（光電素子）
７２…受光素子（光電素子）
７４…カバー
【図１】
2019080642.tif 000003
【図２】
2019080642.tif 000004
【図３】
2019080642.tif 000005
【図４】
2019080642.tif 000006
【図５】
2019080642.tif 000007
【図６】
2019080642.tif 000008
【図７】
2019080642.tif 000009
【図８】
2019080642.tif 000010
【図９】
2019080642.tif 000011
【図１０】
2019080642.tif 000012
【図１１】
2019080642.tif 000013
【図１２】
2019080642.tif 000014